(57)【特許請求の範囲】
【請求項１】
２つの電子カメラと、１つの通信機器とを備える通信システムにおいて、
前記２つの電子カメラのうち一方の電子カメラは、
画像を撮像する撮像手段と、
撮像した画像を記録する記録媒体と、
前記２つの電子カメラのうち他方の電子カメラとの間で近距離の無線通信を行う無線通信手段と、
画像を配信する画像共有サービスサーバに登録した利用者が所有する前記他方の電子カメラから、前記無線通信手段を介して、前記画像共有サービスサーバの登録アドレス及び前記画像共有サービスサーバに登録した利用者のＩＤ番号を受信する受信手段と、
前記画像共有サービスサーバを介して分配又は共有すべき画像を選択する画像選択手段と、
前記画像選択手段による選択の結果と、前記画像共有サービスサーバに登録した利用者が所有する前記他方の電子カメラから受信した登録アドレス及び前記ＩＤ番号とを関連付けて前記記録媒体に記録する記録制御手段と、
前記通信機器に接続するためのカメラ側接続手段とを備え、
前記通信機器は、
前記一方の電子カメラを接続するための通信機器側接続手段と、
前記一方の電子カメラが接続された時に、前記画像選択手段により選択された画像、前記画像共有サービスサーバの登録アドレス及び前記画像共有サービスサーバに登録した利用者のＩＤ番号を前記記録媒体から自動的に読み出す読み出し手段と、
前記記録媒体から読み出した登録アドレス及びＩＤ番号を用いて前記画像共有サービスサーバにアクセスして、前記画像選択手段により選択された画像を前記画像共有サービスサーバに転送する画像転送手段と、
前記記録媒体から読み出した登録アドレス及びＩＤ番号を用いて前記画像共有サービスサーバにアクセスし、前記画像共有サービスサーバにアップロードされた画像をダウンロードするダウンロード手段と、
を備えることを特徴とする通信システム。
【請求項２】
２つの電子カメラと、２つの通信機器とを備える通信システムにおいて、
前記２つの電子カメラは、
画像を撮像する撮像手段と、
前記２つの電子カメラの間で通信を行う通信モードと、ビデオ会議モードの間でモードを切り替えるモード切替手段と、
前記２つの電子カメラの間で近距離の無線通信を行う無線通信手段と、
前記モードが通信モードに設定されている時に、前記無線通信手段を介して、前記２つの電子カメラのうち一方の電子カメラの利用者のビデオ会議用のアドレスを前記２つの電子カメラのうち他方の電子カメラに送信するとともに、前記他方の電子カメラの利用者のビデオ会議用のアドレスを前記他方の電子カメラから受信する送受信手段と、
前記送受信手段により受信したビデオ会議用のアドレスを記録する記録媒体と、
前記通信機器に接続するためのカメラ側接続手段とを備え、
前記２つの通信機器は、
前記２つの電子カメラをそれぞれ接続するための通信機器側接続手段と、
前記電子カメラがビデオ会議モードに設定されて接続された時に、前記接続された電子カメラの記録媒体から前記ビデオ会議用のアドレスを前記記録媒体から読み出す読み出し手段と、
前記記録媒体から読み出したビデオ会議用アドレスを用いて前記２つの通信機器の間で通信を開始し、前記接続された電子カメラの撮像手段を用いてビデオ会議を行うためのビデオ会議用通信手段と、
を備えることを特徴とする通信システム。
【請求項３】
２つの電子カメラと、１つの通信機器との間で通信を行う通信方法において、
前記２つの電子カメラのうち一方の電子カメラにより、画像を撮像し、撮像した画像を記録媒体に記録する撮像工程と、
前記一方の電子カメラにより、前記２つの電子カメラのうち他方の電子カメラとの間で近距離の無線通信を行う無線通信工程と、
前記一方の電子カメラにより、画像を配信する画像共有サービスサーバに登録した利用者が所有する前記他方の電子カメラから、前記画像共有サービスサーバの登録アドレス及び前記画像共有サービスサーバに登録した利用者のＩＤ番号を受信する受信工程と、
前記一方の電子カメラにおいて、前記画像共有サービスサーバを介して分配又は共有すべき画像を選択する画像選択工程と、
前記一方の電子カメラにおいて、前記画像選択工程による選択の結果と、前記画像共有サービスサーバに登録した利用者が所有する前記他方の電子カメラから受信した登録アドレス及び前記ＩＤ番号とを関連付けて前記記録媒体に記録する記録制御工程と、
前記一方の電子カメラと、前記通信機器とを接続する接続工程と、
前記通信機器において、
前記一方の電子カメラが接続された時に、前記画像選択工程において選択された画像、前記画像共有サービスサーバの登録アドレス及び前記画像共有サービスサーバに登録した利用者のＩＤ番号を前記記録媒体から自動的に読み出す読み出し工程と、
前記通信機器により、前記記録媒体から読み出した登録アドレス及びＩＤ番号を用いて前記画像共有サービスサーバにアクセスして、前記画像選択工程において選択された画像を前記画像共有サービスサーバに転送する画像転送工程と、
前記通信機器により、前記記録媒体から読み出した登録アドレス及びＩＤ番号を用いて前記画像共有サービスサーバにアクセスし、前記画像共有サービスサーバにアップロードされた画像をダウンロードするダウンロード工程と、
を備えることを特徴とする通信方法。
【請求項４】
画像を撮像する撮像手段を備える２つの電子カメラと、２つの通信機器との間で通信を行う通信方法において、
前記２つの電子カメラの間で近距離の無線通信を行う無線通信工程と、
前記２つの電子カメラの間で通信を行う通信モードと、ビデオ会議モードの間でモードを切り替えるモード切替手段によって通信モードに設定されている時に、前記２つの電子カメラのうち一方の電子カメラの利用者のビデオ会議用のアドレスを他方の電子カメラに送信するとともに、前記２つの電子カメラのうち他方の電子カメラの利用者のビデオ会議用のアドレスを前記他方の電子カメラから受信する送受信工程と、
前記２つの電子カメラにおいて、前記送受信工程により受信したビデオ会議用のアドレスを前記記録媒体に記録する記録工程と、
前記２つの電子カメラと、前記２つの通信機器とをそれぞれ接続する接続工程と、
前記電子カメラがビデオ会議モードに設定されて接続された時に、前記接続された電子カメラの記録媒体から前記ビデオ会議用のアドレスを前記記録媒体から読み出す読み出し工程と、
前記記録媒体から読み出したビデオ会議用アドレスを用いて前記２つの通信機器の間で通信を開始し、前記接続された電子カメラの撮像手段を用いてビデオ会議を行うビデオ会議用通信工程と、
を備えることを特徴とする通信方法。
【発明の詳細な説明】
【０００１】
【発明の属する技術分野】
本発明は、通信システム及びその方法に係り、特に撮像して得た画像を容易に他の通信機器に送信することが可能な通信システム及びその方法に関する。
【０００２】
【従来の技術】
個人情報メモリに記憶される複数項目の個人情報をそれぞれに対応づけて設定し、他人との接触に伴う同仕様の電子機器との間でデータ通信を行う際は、まずレベル１に対応した表面的個人情報の交換が行われ、そのまま他人との接触が一定時間以上継続された場合は、レベル２に対応した形式的個人情報の交換が行われ、さらに相手からの個人情報中に予め任意設定した条件に一致する情報が含まれていた場合は、レベル３に対応した私的個人情報の交換が行われ、一方で、それぞれ受信された他人の個人情報が受信個人情報メモリに記憶される通信機能付き電子機器が、特開平２０００−１９４６６６号の公報に示されている。
【０００３】
また、音声入力手段と、入力手段で変換された音声情報を通信相手に伝送する伝送手段と、文字情報入力手段と、文字メモリとを備えた携帯電話装置で、画像を撮像し画像情報を出力するデジタルカメラと、上記画像情報を記憶する画像メモリと、上記デジタルカメラの画像情報または上記画像メモリの画像情報と、上記文字メモリの文字情報を関連付けるシステム制御部と、関連付けられた情報を表示する表示手段と、上記画像メモリからの画像情報を、上記音声情報の伝送手段で伝送するよう音声情報と切り換える切り替え手段とを備えたカメラ機能付携帯電話装置が特開平１１−２０５７６１号の公報に示されている。
【０００４】
【発明が解決しようとする課題】
しかしながら、特開平２０００−１９４６６６号の公報に記載されている通信機能付き電子機器では、お互いの情報開示レベルに応じて対応する情報を交換するのみであって、容易に画像を送信することができないという不具合を生じていた。
【０００５】
また、特開平１１−２０５７６１号の公報に記載されているカメラ機能付き携帯電話も、付属のカメラで相手の顔などを撮影してアドレスや電話番号と関連付けて保存する発明であるが、画像等の情報の送信といった情報の交換機能はなく、自己完結している装置である。
【０００６】
また、複数人が複数台の電子カメラで記念撮影を行って、銘々が帰宅後に撮影した写真をインターネット等を介して分配する際に、電子メールに画像を貼付してお互いの電子メールアドレスにメールする方法が知られている。また、ウェブサイトのホームページ等に撮像して得た画像をアップロードし、電子メールでアップロード情報を通知する方法が知られている。しかし、画像を配付する人数が多い場合には、電子メールの送信だけでも非常に手間がかかるという不具合を生じていた。
【０００７】
また、インターネット等の通信網を利用したビデオ会議においてネットミーティングを行う場合にも、従来はビデオ会議を実施する相手のアドレスを取り出して入力するのにたいへん手間がかかるという不具合を生じていた。
【０００８】
本発明は、このような事情に鑑みてなされたもので、無線通信や記録媒体経由で通信相手のアドレスを入手し、自動で入手したアドレスに通信接続して画像等の情報を送信することが可能な通信システム及びその方法を提供することを目的としている。
【０００９】
【課題を解決するための手段】
前記目的を達成するために本発明は、他の通信機器から画像の送信先のアドレスを受信し該アドレスに対して画像等の情報を送信する通信システムであって、被写体像を撮像して画像を得る撮像手段と、他の通信機器に自動でアドレスを送信するとともに他の通信機器から自動でアドレスを受信する送受信手段と、前記受信したアドレスに前記撮像した画像を送信する送信手段とを備えたことを特徴としている。
【００１０】
本発明によれば、被写体像を撮像して画像を得る撮像手段と、他の通信機器に自動でアドレスを送信するとともに他の通信機器から自動でアドレスを受信する送受信手段と、前記受信したアドレスに前記撮像した画像を送信する送信手段とを備えたので、自動で入手したアドレスに通信接続して画像等の情報を送信することが可能となる。
【００１１】
【発明の実施の形態】
以下添付図面に従って、本発明に係る通信システム及びその方法の好ましい実施の形態について詳説する。
【００１２】
図１に、本発明に係る通信システムを示す。
【００１３】
同図によれば、通信システムは、利用者８、８Ａ…が所有するとともに利用者８、８Ａ、８Ｂ…等の被写体を撮影する無線通信手段を備えた電子カメラ１０、１０Ａ…と、電子カメラ１０、１０Ａ…と情報の交換が可能なパソコン８０、８０Ａとから構成されている。
【００１４】
電子カメラ１０及び１０Ａは、無線の通信手段であるアンテナ１５６、１５６Ａを介して利用者８、８Ａのアドレスの情報や顔写真等のデータを相互に交換して記録媒体１７７、１７７Ａ等に記録することが可能となっている。また、自己のアドレス情報や顔写真等のデータを一旦記録媒体１７７、１７７Ａに記録して、他の電子カメラ１０又は１０Ａに伝達するようにしてもよい。
【００１５】
次に、利用者８、８Ａ…が帰宅後に電子カメラ１０、１０Ａをパソコン８０、８０Ａと無線通信接続する。すると無線の通信手段であるアンテナ８５６、８５６Ａを介してアドレス及び顔写真等のデータをパソコン８０、８０Ａに送信する。なお、アドレス及び画像データ等の情報は、記録媒体１７７、１７７Ａを介してパソコン８０、８０Ａに伝達するようにしてもよい。
【００１６】
パソコン８０、８０Ａが前記アドレス等を取得すると、パソコン８０、８０Ａは自動で取得したアドレスに対して公衆回線等の通信網を経由して通信を開始して、関連付けて記録されている画像を送信する。そして、利用者８、８Ａ…どうしの出会いからネット上での再会及び、記念撮影から写真の分配という処理を、極めてスムーズに行うことが可能となる。
【００１７】
図２に、電子カメラ１０の信号処理系のブロック図を示す。
【００１８】
電子カメラ１０の画像処理部には、被写体の像を受光面に結像させて光電変換し、画像信号として出力する撮像手段１５０と、画像サイズの変更、シャープネス補正、ガンマ補正、コントラスト補正、ホワイトバランス補正等の処理を行う画像処理手段１５３と、アナログの画像信号をデジタルの画像データに変換するＡ／Ｄ変換器１５４とが設けられている。
【００１９】
また、画像データ等の情報を通信によって他の通信機器と送受信する電子カメラ１０の通信手段は、画像データ等の情報を電波等の搬送波に乗せて送信又は受信する近距離用の送受信手段１５７（送信手段及び受信手段の機能を含む）と、搬送波及びデータを送受信するアンテナ１５６と、画像データ等の情報を通信ケーブルを介して他の通信機器に送信する通信コネクタ１６２とから構成されている。
【００２０】
また、電子カメラ１０には、画像データ等の情報をＪＰＥＧやモーションＪＰＥＧに代表される手法で圧縮制御したり圧縮したデータを伸張展開制御する処理を行う圧縮伸張手段１６７と、表示手段１６８に表示する各種の文字やメッセージのデータ等を画像とともにオンスクリーンディスプレイするＯＳＤ１６９と、デジタルの画像データを表示用のＹＣ信号又はＲＧＢ信号等に変換するＤ／Ａ変換器１７０と、画像データを一時的に記憶しておくフレームメモリ１７１とが設けられている。
【００２１】
また、電子カメラ１０には、レリーズボタンや通信ボタン、送信ボタン、ファンクションスイッチ、十字キー、確定スイッチ、モード切り換えスイッチ等が設けられている入力手段１７２と、入力手段１７２の設定情報等を入出力するインターフェースであるＩ／Ｏ１７３と、記録媒体１７７を着脱可能に装着する記録媒体装着部１７８と、記録媒体１７７に対してアドレスや画像データ等の情報を記録したり読み出したりする記録媒体インターフェース１７９とが設けられている。なお、記録媒体１７７は、メモリーカード等の半導体や、ＭＯ等に代表される磁気記録式、光記録式等に代表される着脱可能な記録媒体である。
【００２２】
また、電子カメラ１０には、電子カメラ１０全体の制御を行うとともに画像データのサンプリングタイミング制御、画像データの記録制御、画像データの図形認識、利用者のメールアドレス等の情報の読み込み処理、通信制御、表示制御等の制御を行う情報処理手段１８０と、電子カメラ１０の機種名、製造番号等の固有の識別情報、動作プログラム、各定数が記憶されているＲＯＭ及びプログラム実行時の作業領域となる記憶手段であるＲＡＭにより構成されているシステムメモリ１８１と、情報の書き換えが可能であるとともに記憶した情報を電源遮断後も記憶し続けることが可能な不揮発性メモリ１８２とが設けられている。
【００２３】
なお、前記記録媒体１７７又は不揮発性メモリ１８２には、他の利用者８Ａ、８Ｂ…のアドレスや顔写真等の情報も記憶することが可能となっている。
【００２４】
また、電子カメラ１０には、時を刻むカレンダ時計１９０と、撮影時に被写体に光を発光して光量不足を補う発光手段１９３と、該発光手段１９３の発光タイミングや発光する光量の調節を行う発光制御手段１９４とが設けられている。
【００２５】
電子カメラ１０の情報処理手段１８０とその周辺の回路はバス１９９で接続されており、互いに情報の伝達を高速で行うことが可能となっている。
【００２６】
上記のとおり構成された電子カメラ１０の撮影処理について説明する。
【００２７】
撮影する像は電子カメラ１０のレンズによって撮像手段１５０の受光面に結像され、結像した被写体像は光電変換されて画像処理手段１５３に出力される。画像処理手段１５３では、この画像信号に対して増幅やノイズの低減処理を実施し、Ａ／Ｄ変換器１５４にてデジタルデータに変換した後に一時期フレームメモリ１７１に記憶する。
【００２８】
情報処理手段１８０は、フレームメモリ１７１に記憶されている画像データを逐次Ｄ／Ａ変換器１７０に伝達する指示を行い、ＯＳＤ１６９から発生される情報とともに表示手段１６８に表示している。
【００２９】
利用者が入力手段１７２に設けられているレリーズボタンを押すと、情報処理手段１８０は被写体を撮影するモードに入る。すると情報処理手段１８０はフレームメモリ１７１に記憶されている画像データを圧縮伸張手段１６７に転送して、所定の条件で画像データの圧縮処理を実施する指令を出力する。そして、記録媒体インターフェース１７９に対して画像データを順次記録媒体１７７に記録する処理を行う。
【００３０】
利用者が電子カメラ１０に設けられているモード切替ダイヤルを操作して、他の電子カメラ１０Ａ等と通信を行うモードを選択すると、電子カメラ１０と電子カメラ１０Ａとはお互いに近距離の無線通信を開始する。そして、お互いを認証し合って通信が確立すると、お互いのメールアドレスや顔写真等の情報を交換して、記録媒体１７７、１７７Ａ又は不揮発性メモリ１８２等に記録する。このとき、アドレス等の情報を交換する電子カメラは２台に限定されるものではなく、３台以上の電子カメラどうしで情報の交換を行ってもよい。そして、分配しようとする画像を利用者８、８Ａ等が電子カメラ１０、１０Ａの入力手段を介して設定し、その設定結果はアドレスと関連付けて記録媒体１７７、１７７Ａに記憶される。
【００３１】
なお、上記の説明では通信端末を電子カメラとした実施の形態で説明したが、本発明は電子カメラに限定されるものではなく、無線通信機能を備えるとともに音声情報を記録することが可能なオーディオプレーヤ等の通信端末であっても本発明の目的を達成することが可能である。
【００３２】
図３は、パソコンの信号処理系のブロック図である。
【００３３】
同図によれば、パソコン８０の情報送受信部には、近距離用無線通信手段として用いるアンテナ８５６、送受信手段８５７（送信手段及び受信手段の機能を含む）と、公衆回線８６０を介して他のパソコン８０Ａ等と情報の送受信を行うための公衆回線用の送受信手段８６５（送信手段及び受信手段の機能を含む）とが設けられている。
【００３４】
また、パソコン８０には、画像や文字等の情報を表示する表示手段８６８と、情報処理手段の指令に基づいて表示手段８６８に対して表示用の画像信号を出力する表示制御手段８６９と、利用者が入力手段８７２を介して入力した各種情報を読み取って後述する情報処理手段に伝達したり、情報処理手段からの指示に基づいてＬＥＤ等の通知手段に表示指令を出力するＩ／Ｏ８７３とが設けられている。
【００３５】
また、パソコン８０には、記録媒体８７７を着脱可能に装着する記録媒体装着部８７８と、記録媒体８７７に対して画像データ等の情報を記録したり読み出したりする記録媒体インターフェース８７９とが設けられている。なお、記録媒体８７７は、前記記録媒体１７７及び１７７Ａと同様の着脱可能な記録媒体である。
【００３６】
また、パソコン８０には、パソコン８０の全体の制御を行う情報処理手段（ＣＰＵ）８８０と、情報処理手段８８０を動作させるプログラムや各種定数が記録されているＲＯＭや情報処理手段８８０が処理を実行する際の作業領域となる記憶手段であるＲＡＭとから構成されるメモリ８８４と、パソコンの処理に関する各種定数やネットワーク上の通信機器に通信接続する際のダイヤルアップ電話番号、属性情報、ＵＲＬ（Uniform Resource Locators ）、アドレス、ゲートウェイ情報ＤＮＳ（Domain Name System）等の接続情報等の情報を記録するハードディスク等の記録手段８８６と、時刻を刻むカレンダ時計８９０とが設けられている。
【００３７】
パソコン８０内の情報処理手段８８０と、表示制御手段８６９、Ｉ／Ｏ８７３、メモリ８８４、記録手段８８６、カレンダ時計８９０等を含む各周辺回路はバス８９９で接続されており、情報処理手段８８０は各々の周辺回路を制御することが可能となっている。
【００３８】
近距離用の無線通信手段は、電波、超音波、赤外線等の光、を搬送波用いた通信手段である。電波を用いる場合には、無線ＬＡＮ（ローカルエリアネットワーク）等の無線通信の仕様に基づいてもよい。
【００３９】
なお、上記の説明では通信機器をパソコン８０とした例で説明したが、記録手段、通信手段等を備えた通信機器であれば、携帯電話や電子手帳等の通信端末であってもよい。また、電子カメラ１０がパソコン８０の機能を備えていてもよい。
【００４０】
利用者が電子カメラ１０に設けられているモード切替ダイヤルを操作して例えばストレージクラス（静止画モード等のモードであってもよい）を選択すると、電子カメラ１０、１０Ａがパソコン８０、８０Ａ等の記録媒体としてみなされるモードとなる。すると、パソコン８０、８０Ａは電子カメラ１０、１０Ａに対してアクセスして記録媒体１７７、１７７Ａに記録されているディレクトリやファイルに関する情報を取得する。そして画像送信ファイル等のバッチファイルが存在するか否かの判断を行う。
【００４１】
もし、記録媒体１７７、１７７Ａに画像送信ファイル等のバッチファイルが記録されていると判断した場合には、パソコン８０、８０Ａは該バッチファイルを読み出すとともにメール送信用のソフトウェアを起動して記載されているアドレスと公衆回線８６０等を介して通信を開始し、画像を添付したメール原稿を作成する。利用者８、８Ａ…は、ここにコメントを書き込んで送信ボタンを押すだけで所望の画像を所定のアドレスに送信することが可能となる。全ての利用者が電子メール転送を行うことによって、欲しい画像が全て電子メール経由で入手可能となる。
【００４２】
また、インターネットのＷＥＢページにて画像を共有する場合には、以下の方法にて実施することが可能となる。
【００４３】
予め、利用者のうちの一人が画像共有サービスサーバに登録し、登録アドレスと利用者を特定するためのＩＤ番号などを取得して、電子カメラ１０に登録する。図１に示すように、利用者８、８Ａが電子カメラ１０等を用いて撮像した後に、複数の利用者が電子カメラ１０、１０Ａ…どうしで無線通信や記録媒体１７７、１７７Ａ…を交換することによって情報の交換を行って、画像共有サービスサーバの登録アドレスやＩＤを他の利用者の電子カメラ１０Ａ等に記録させる。この場合にも電子カメラは２台以上あってもよい。そして、分配しようとする画像を利用者が選択し、その結果を電子カメラ１０、１０Ａ…の記録媒体１７７、１７７Ａ…に記録する。
【００４４】
各々の利用者が帰宅後、電子カメラ１０、１０Ａ…を静止画モードに設定してパソコン８０、８０Ａに接続する。すると、パソコン８０、８０Ａ等のアプリケーションソフトウェアが自動的に電子カメラ１０、１０Ａに装着されている記録媒体１７７、１７７Ａ…に記録されている登録アドレスやＩＤと共有すべき画像とをパソコン８０、８０Ａに取り込み、画像共有サービスサーバにＦＴＰ等の通信プロトコルを用いて転送する。バッチファイルに記載されている全ての画像がアップロードされることによって、各利用者８、８Ａ…は画像共有サーバにアクセスして希望の画像を閲覧したり、ダウンロードすることが可能となる。
【００４５】
また、インターネットを介してビデオ会議を行う場合には、以下の方法にて実施することが可能となる。
【００４６】
電子カメラ１０を携行する利用者８が出先で電子カメラ１０Ａを携行する利用者８Ａと出会ったときに、お互いのビデオ会議用のアドレスを、お互いの電子カメラどうしを無線通信することによって（又は記録媒体を交換することによって）お互いの電子カメラ１０、１０Ａの記録媒体１７７、１７７Ａに記録する。それと同時に相手の利用者８、８Ａの顔写真等を撮影し、前記アドレスと関連付けて記録する。
【００４７】
各々の利用者が帰宅後、電子カメラ１０、１０Ａ…をビデオ会議モードに設定してパソコン８０、８０Ａに接続すると、アプリケーションソフトウェアが自動で記録媒体１７７、１７７Ａに記録されている通信先のアドレスを読み出してビデオ会議アプリケーションソフトウェアのアドレスリストに登録する。また、このアドレスリストに対応した顔写真等も登録する。
【００４８】
前記アドレスを電子カメラ１０、１０Ａから取得したビデオ会議アプリケーションソフトウェアは、所定のアドレスと通信を開始するので、電子カメラ１０はパソコン８０、公衆回線８６０及びパソコン８０Ａを介して電子カメラ１０Ａと画像と音声を含む情報を送受信して、ビデオ会議を行うことが可能となる。
【００４９】
図４に、画像送信先のアドレス及び画像のファイル名等が記載されている画像送信ファイル（バッチファイル）の記載例を示す。
【００５０】
同図によれは、画像送信ファイルには、通信を実施する際の通信先又は画像等の送信先を示すアドレスと、画像のプリントサービス、画像のアップロード、画像の送信等を指示する目的情報と、送信する画像のファイル名とが記載されている。パソコン８０、８０Ａ…は、該画像送信ファイルに記載されたアドレスに対して、該画像送信ファイルに記載されている画像ファイルを目的に応じて送信する。
【００５１】
【発明の効果】
以上説明したように本発明に係る通信システム及びその方法によれば、被写体像を撮像して画像を得る撮像手段と、他の通信機器に自動でアドレスを送信するとともに他の通信機器から自動でアドレスを受信する送受信手段と、前記受信したアドレスに前記撮像した画像を送信する送信手段とを備えたので、自動で入手したアドレスに通信接続して画像等の情報を送信することが可能となる。
【図面の簡単な説明】
【図１】本発明に係る通信システムを示す図
【図２】電子カメラの信号処理系ブロック図
【図３】パソコンの信号処理系ブロック図
【図４】画像送信ファイルの記載例を示す図
【符号の説明】
８、８Ａ、８Ｂ…利用者、１０、１０Ａ…電子カメラ、８０、８０Ａ…パソコン、１５０…撮像手段、１５３…画像処理手段、１５４…Ａ／Ｄ変換器、１５６、１５６Ａ…アンテナ、１５７…送受信手段、１６２…通信コネクタ、１６７…圧縮伸張手段、１６８…表示手段、１６９…ＯＳＤ、１７０…Ｄ／Ａ変換器、１７１…フレームメモリ、１７２…入力手段、１７３…Ｉ／Ｏ、１７７、１７７Ａ…記録媒体、１７８…記録媒体装着部、１７９…記録媒体インターフェース、１８０…情報処理手段、１８１…システムメモリ、１８２…不揮発性メモリ、１９０…カレンダ時計、１９３…発光手段、１９４…発光制御手段、１９９…バス、８５６、８５６Ａ…アンテナ、８５７…送受信手段、８６０…公衆回線、８６５…送受信手段、８６８…表示手段、８６９…表示制御手段、８７２…入力手段、８７３…Ｉ／Ｏ、８７７…記録媒体、８７８…記録媒体装着部、８７９…記録媒体インターフェース、８８０…情報処理手段、８８４…メモリ、８８６…記録手段、８９０…カレンダ時計、バス…８９９
【図１】
0004397118.tif 000002
【図２】
0004397118.tif 000003
【図３】
0004397118.tif 000004
【図４】
0004397118.tif 000005